(57)【要約】  光強度、色、及び光ビーム方向などの、複数のスポットライトのそれぞれの設定を制御する方法であって、遠隔制御器が、前記複数のスポットライトの設定を所望な値に変更する複数の制御ユニットを含む制御システムへ制御信号を送信するために使用され、前記制御ユニットは、前記複数のスポットライトのうちの１つとそれぞれ関連付けられ、前記制御ユニットは、前記関連付けられたスポットライトの設定を所望な値に変更し得、前記スポットライトのそれぞれが、前記スポットライトのそれぞれの光ビームに重ね合わされる固有の光信号を放射し、前記遠隔制御器が、前記固有の光信号を決定するセンサを有し、前記遠隔制御器が、前記遠隔制御器が使用される時に決定される、決定された前記固有の光信号と関連付けられるスポットライト識別信号を、前記制御信号とともに送信し、前記スポットライト識別信号と関連付けられる前記制御ユニットが、前記関連付けられるスポットライトの設定を前記所望の値に変更することによって、合成された前記スポットライト識別信号及び前記制御信号に反応する、方法が提供される。
2009514160.tif 000002
【特許請求の範囲】
【請求項１】
光強度、色、及び光ビーム方向などの、複数のスポットライトのそれぞれの設定を制御する方法であって、
遠隔制御器が、前記複数のスポットライトの設定を所望な値に変更する複数の制御ユニットを含む制御システムへ制御信号を送信するために使用され、前記制御ユニットは、前記複数のスポットライトのうちの１つとそれぞれ関連付けられ、前記制御ユニットは、前記関連付けられたスポットライトの設定を前記所望な値に変更し得るような、方法において、
前記複数のスポットライトのそれぞれが、前記スポットライトのそれぞれの光ビームに重ね合わされる固有の光信号を放射し、
前記遠隔制御器が、前記固有の光信号を決定するセンサを有し、
前記遠隔制御器が、前記遠隔制御器が使用される時に決定される、決定された前記固有の光信号と関連付けられるスポットライト識別信号を、前記制御信号とともに送信し、
前記スポットライト識別信号と関連付けられる前記制御ユニットが、前記関連付けられるスポットライトの設定を前記所望の値に変更することによって、合成された前記スポットライト識別信号及び前記制御信号に反応する、
ことを特徴とする方法。
【請求項２】
請求項１に記載の方法であって、前記遠隔制御器及び前記制御システムが、前記遠隔制御器の絶対的又は相対的動きを決定し、前記スポットライトが前記動きに追従するように、前記関連付けられるスポットライトのビーム方向を変更する、方法。
【請求項３】
複数のスポットライトと、前記複数のスポットライトの光強度、色、及び光ビーム方向などの設定を所望な値に変更する複数の制御ユニットを含む制御システムと、制御信号を前記制御ユニットへ送信する遠隔制御器と、を含む、オブジェクトを照らすシステムであって、
前記制御ユニットは、前記複数のスポットライトのうちの１つとそれぞれ関連付けられ、関連付けられたスポットライトの設定を所望な値に変更する、システムにおいて、
各制御ユニットが、前記スポットライトに、前記スポットライトのそれぞれの光ビームに重ね合わされる固有の光信号を放射させるように構成され、前記遠隔制御器が、前記固有の光信号を決定するセンサを有し、
前記遠隔制御器が、前記遠隔制御器が使用される時に決定される、前記固有の光信号と関連付けられるスポットライト識別信号を、前記制御信号とともに送信するように構成され、
前記制御ユニットが、前記関連付けられるスポットライトの設定を前記制御信号によって決定される値に変更することによって、合成された、前記スポットライトに関連付けられる前記スポットライト識別信号と前記制御信号とに反応するように構成される、
ことを特徴とするシステム。
【請求項４】
請求項３に記載のシステムであって、前記センサが、光感知画素配列を備える、システム。
【請求項５】
請求項４に記載のシステムであって、前記遠隔制御器及び／又は前記制御システムが、前記遠隔制御器の前記絶対的又は相対的な動きを決定する手段を備え、前記スポットライトが前記動きに追従するように、前記関連付けられるスポットライトのビーム方向を変更するように構成される、システム。
【請求項６】
制御されるべき複数のユニットへ制御信号を送信する遠隔制御器において、前記遠隔制御器が、固有の光信号を決定するセンサを有し、前記遠隔制御器が、前記遠隔制御器が使用される時に決定される前記固有の光信号と関連付けられる識別信号を、前記制御信号とともに送信するように構成される、遠隔制御器。
【請求項７】
スポットライトと、前記スポットライトの光ビーム方向を変更する制御ユニットを含む制御システムと、制御信号を前記制御ユニットへ送信する遠隔制御器と、を含む、オブジェクトを照らすシステムにおいて、
前記遠隔制御器及び／又は前記制御システムが、前記遠隔制御器の前記絶対的又は相対的な動きを決定する手段を備え、前記スポットライトが前記動きに追従するように、前記関連付けられるスポットライトのビーム方向を変更するように構成される、システム。
【請求項８】
請求項７に記載のシステムにおいて使用する、前記遠隔制御器の前記絶対的又は相対的な動きを決定する手段を備える遠隔制御器。
【発明の詳細な説明】
【技術分野】
【０００１】
本発明は、光強度、色、及び光ビーム方向などの、複数のスポットライトのそれぞれの設定を制御する方法であって、遠隔制御器が、前記複数のスポットライトの設定を所望な値に変更する複数の制御ユニットを含む制御システムへ制御信号を送信するために使用され、前記制御ユニットは、前記複数のスポットライトのうちの１つとそれぞれ関連付けられ、前記制御ユニットは、前記関連付けられたスポットライトの設定を所望な値に変更し得るような、方法に関する。この実施例において「スポットライト」という用語は、広範囲に解釈されるべきであり、光る壁及びビームランプなどの、環境支援光も含み得る。
【背景技術】
【０００２】
ランプ及びランプ灯具は、光の色及びビームの方向などのより多くの選択肢を得るに連れて、これらの選択肢を設定する及び制御することが課題になる。例えば、ランプは、光の方向を変更することが可能であるように、取り付けられ得る。このことは、命令された場合にランプ保持具の方向を変更するアクチュエータを用いて、又は可動鏡を用いることによって、実行され得る。全ての照明装置を中心点に接続し、そこから選択肢を設定することは、可能性の一つではあるが、便利でも直感的でもない。遠隔制御器を使用して、設定が確認され得る一方で、スポットライトの下で作動するようにされる、遠隔制御器の使用が所望である。
【発明の開示】
【発明が解決しようとする課題】
【０００３】
本発明は、したがって、複数のスポットライトの設定を制御する、快適で信頼性の高い方法を提供することである。
【課題を解決するための手段】
【０００４】
本発明に従うと、前記複数のスポットライトが、前記スポットライトのそれぞれの光ビームに重ね合わされる固有の光信号を放射し、前記遠隔制御器が、前記固有の光信号を決定するセンサを有し、前記遠隔制御器が、前記制御信号とともに、前記遠隔制御器が使用される時に決定される、決定された前記固有の光信号と関連付けられるスポットライト識別信号を送信し、前記スポットライト識別信号と関連付けられる前記制御ユニットが、前記関連付けられるスポットライトの設定を前記所望の値に変更することによって、合成された前記スポットライト識別信号及び前記制御信号に反応する。
【０００５】
この態様において、制御ユニットは、スポットライトに固有であり関連付けられるスポットライトの設定を変更及び維持するのに必要であるいずれかの機械的アクチュエータ及び電子的要素（バラスト及び／又は調光ユニットなど）、並びに、遠隔制御信号を処理し、これらを前記機械的アクチュエータ及び電子的要素に関する命令へ翻訳するのに必要であるいずれかの回路及び処理コンポーネントを含むように規定される。前記複数の制御ユニットの回路及び処理コンポーネントは、１つの筐体に（部分的に）収められ得るが、１つの処理器ユニットにおいてソフトウェアによって実施化もされ得る。したがって、前記制御ユニットは、物理的な意味で完全に個別の対象物である必要はない。この態様において、制御システムという用語は、前記制御ユニットの全て、並びに遠隔制御信号を処理するのに必要であり、全ての制御ユニット及びこれらに関連付けられるスポットライトに共通するいずれかの回路及び処理コンポーネント、を含むように規定される。
【０００６】
本発明は、このように実施化され得るが、遠隔制御器が、１つがスポットライト識別信号であり、１つが制御信号である、２つの個別の信号を実際に送信する必要はない。遠隔制御器によって送信される、合成されたスポットライト識別信号及び制御信号は、固有である１つの合成制御信号であり得、この合成制御信号は、スポットライトのうちの１つと関連付けられる制御ユニットのうちの１つのみにおける特定の動作を開始させる。この場合、遠隔制御器によって実際に送信される制御信号は、押圧される制御ボタンとセンサによって決定される固有の光信号との両方に依存する。
【０００７】
好ましい実施例において、前記遠隔制御器及び前記制御システムが、前記遠隔制御器の絶対的又は相対的動きを決定し、前記スポットライトが前記動きに追従するように、前記関連付けられるスポットライトのビーム方向を変更する。遠隔制御器を光ビームの外側へセンサとともに摺動させる一方で、遠隔制御器における特別な「追従」ボタンを押圧される場合、スポットライトは、遠隔制御器を追従し、センサをビームの中心に維持させるように試みる。したがって、ユーザは、光ビームを所望な位置へ実質的に引っ張り移動させ得る。このことは、机の上の作業に光を中心にさせる、又は読まれている本に光を焦点合わせさせるのに、も用いられ得る。この好ましい実施例は、個別の発明であるように考慮され得るが、単一のスポットライトシステムにおいても適用可能であり、当該発明は、遠隔制御器の絶対的又は相対的な動き又は位置を決定する手段を備える遠隔制御器にも関する。
【０００８】
本発明は、複数のスポットライトと、前記複数のスポットライトの光強度、色、及び光ビーム方向などの設定を所望な値に変更する複数の制御ユニットを含む制御システムと、制御信号を前記制御ユニットへ送信する遠隔制御器と、を含む、オブジェクトを照らすシステムであって、前記制御ユニットは、前記複数のスポットライトのうちの１つとそれぞれ関連付けられ、関連付けられたスポットライトの設定を所望な値に変更する、システムであり、各制御ユニットが、前記スポットライトのそれぞれに、前記スポットライトのそれぞれの光ビームに重ね合わされる固有の光信号を放射させるように構成され、前記遠隔制御器が、前記固有の光信号を決定するセンサを有し、前記遠隔制御器が、前記遠隔制御器が使用される時に決定される、決定された前記固有の光信号と関連付けられるスポットライト識別信号を、前記制御信号とともに送信するように構成され、前記制御ユニットが、前記関連付けられるスポットライトの設定を前記制御信号によって決定される値に変更することによって、合成された、前記スポットライトに関連付けられる前記スポットライト識別信号と前記制御信号とに反応するように構成される、システムにも関する。
【０００９】
更に、本発明は、制御されるべき複数の制御ユニットへ制御信号を送信する遠隔制御器であって、前記遠隔制御器が、固有の光信号を決定するセンサを有し、前記遠隔制御器が、前記遠隔制御器が、前記遠隔制御器が使用される時に決定される前記固有の光信号と関連付けられる識別信号を、前記制御信号とともに送信するように構成される、遠隔制御器に関する。
【００１０】
本発明は、図面を参照して、好ましい実施例を用いて例示される。
【発明を実施するための最良の形態】
【００１１】
図１の概略図に従うと、リビングルーム、劇場ステージ、フィルムスタジオ、又は店舗窓などのオブジェクトを照らすシステムは、天井に通常取り付けられる複数のスポットライト1a,1b,1cを有する。前記スポットライト1a,1b,1cはそれぞれ、オブジェクトに光ビーム2a,2b,2cを投射する。スポットライト1a,1b,1cはそれぞれ、光ビーム2a,2b,2cの方向、強度（オン／オフ／調光）及び色を変更し得るアクチュエータ及び電子回路を有する制御ユニット3a,3b,3cに接続される。制御ユニット3a,3b,3cは、中央制御パネル４に（有線又は無線で）接続される。スポットライト1a,1b,1cの設定は、人によって制御パネル４を用いて既知のやり方で個別に変更され得る。しかし、本発明に従うと、遠隔制御器５は、以下のように使用され得る。
【００１２】
遠隔制御器５は、その上面部において、ビデオカメラにおいて使用されるような、光感知画素配列を有する。各制御ユニットは、光ビーム2a,2b,2cとともに、各スポットライト1a,1b,1cに対して固有であり、前記スポットライト1a,1b,1cのそれぞれを識別するのに使用され得る、重ねられる高周波数光信号を送信する。遠隔制御器５は、制御ボタンが押圧される場合に光感知画素配列のビデオ信号を分析し、前記信号から前記スポットライトのうちの1つと関連付けられる（最も強く受信された光ビームの）識別コードを決定する手段を有する。この場合、遠隔制御器５におけるボタンが押圧される場合に、スポットライト1bに関する識別コードが決定される。
【００１３】
遠隔制御器５が制御パネル４へ送信する制御信号は、人によって押圧される前記遠隔制御器５におけるボタン、及び、光感知画素配列を用いて決定されるスポット識別コード、の組合せに依存し、各制御信号は固有である。代替実施例において、遠隔制御器は、押圧されるボタンのみに依存する制御信号と決定されるスポット識別コードのみに依存するスポット識別信号との両方を送信する。またこの場合、両方の信号の組合せは１つの固有な信号であると考慮され得る。遠隔制御器５が送信し得る可能な固有な制御信号の数は、これにより、遠隔制御器におけるボタンの数をシステムにおけるスポットライトの数と乗算した大きさになる。制御パネル４は、受信された制御信号を解釈し、適切な命令信号を、遠隔制御器５によって受信されたスポットライト識別信号と関連付けられる制御ユニットへ送信することは明らかである。したがって、図１の状況において、人が遠隔制御器における「より明るい」ボタンを押す場合、システムは、この人がスポットライト1bをより明るく光らせたいと望んでいると決定し、これの命令に従い動作する。この人がその後スポットライト1cをあまり明るく光らせたくないと望む場合、この人は、初めに遠隔制御器５をビーム2cの下に移動させ、そして「より暗い」ボタンを押さなければならない。代替的には、ユーザが、受信されて遠隔制御器に記憶される識別コードに基づき、スポットライトの一群を始めに規定し、そしてこの群全体の設定を同時に変更することも可能である。
【００１４】
代替的な実施例において、システムは、中央制御パネル４を有せず、この実施例において、遠隔制御器５の信号は、直接制御ユニット3a,3b,3cによって受信される。制御ユニットは、制御信号がアドレス処理される制御ユニットのみ前記制御信号に反応するように、構成される。
【００１５】
図２Ａ及び２Ｂは、システムの更なる使用方法を概略的に示す。遠隔制御器５を光感知画素配列とともに、所定の位置から（ここでは中心線によって表現される）光ビーム２の外側へテーブル６において摺動させる一方で、遠隔制御器５における特別な「追従」ボタンが押圧される場合、遠隔制御器５は、画素画像からどの方向に遠隔制御器５が移動されるかを決定し得、スポットライトに対する角度の変化を計算し得る。スポットライト1は、遠隔制御器５を追従し、遠隔制御器５における光感知画素配列をビーム２の中心に維持させるように試みる。したがって、ユーザは、光ビーム２を所望な位置へ実質的に引っ張って移動させ得る。
【００１６】
本発明の別の実施例において、遠隔制御器は、遠隔制御器の相対的な動きを決定するために、加速度計及び（電磁気的、デジタル）コンパスを有する。また、計算機スクリーンにおいてカーソルを移動させるのによく知られる（光学）マウス原理が、前記相対的動きを決定するのに使用され得る。遠隔制御器の絶対的動きが決定され、これにより動きのより大きな自由度を可能にする更に別の実施例において、制御システムは、固定位置に配置され、遠隔制御器の絶対的な位置を決定するのに使用され得るビーコンを有する。超音波又はビデオ撮像は、例えば、このような実施例において前記ビーコンに対する位置を決定するのに使用され得る。遠隔制御器の相対的又は絶対的な動き（又は位置）を決定する様々な手段が知られまた利用可能であり、本文書においてこれらの全てを記載することは適切であるとは考えられないことは理解される。
【図面の簡単な説明】
【００１７】
【図１】図１は、オブジェクトを照らすシステムを概略的に示す。
【図２】図２Ａ及び２Ｂは、光ビームの方向を変更する遠隔制御器の使用を概略的に示す。
【図１】
2009514160.tif 000003
【図２Ａ】
2009514160.tif 000004
【図２Ｂ】
2009514160.tif 000005
【国際調査報告】
2009514160.tif 000006
2009514160.tif 000007
2009514160.tif 000008